(57)【要約】【課題】シール材を用いることなく、締結作業を行うのみで液圧経路を容易に分割することができる、ボルトの締結構造の提供を目的とする。【解決手段】ボルトの他端に圧入部を設け、前記圧入部のねじ底径を雌螺孔の被圧入部のねじ山径より大きく形成することにより、ボルトの締結完了時において前記圧入部のねじ底径又は被圧入部のねじ山径のうち何れか一方或いは両方を塑性変形させてシール性を確保する。【選択図】図１
2008032051.tif 000002
【特許請求の範囲】
【請求項１】
雌螺孔が穿設してある被締結部材と、前記雌螺孔に螺合可能なボルトと、からなるボルトの締結構造において、
前記ボルトは、一端に頭部、他端に圧入部、前記頭部と圧入部との間に雄ねじ部を有し、
前記雌螺孔は、ボルトの締結完了時において、前記雄ねじ部に螺合されるとともにねじ山の頂部が欠損してある雌ねじ部と、前記圧入部に螺合される被圧入部とを有し、
前記圧入部のねじ底径は、前記被圧入部のねじ山径より略大きく形成してあり、
ボルトの締結完了時において前記圧入部のねじ底径又は被圧入部のねじ山径のうち何れか一方或いは両方を塑性変形させて互いを密着させたシール部を形成してあるとともに、前記雌ねじ部のねじ山と前記雄ねじ部のねじ底との間に生じる間隙を用いて、導通部を形成してあることを特徴とする、
ボルトの締結構造。
【請求項２】
前記被締結部材に、前記導通部に連通可能な流路を形成してあることを特徴とする、請求項１に記載のボルトの締結構造。
【請求項３】
前記シール部と導通部の配置位置を、前記ボルトの軸方向に入れ替えたことを特徴とする、請求項１又は２に記載のボルトの締結構造。
【請求項４】
前記圧入部のねじ底径を当該圧入部のねじピッチの０．４倍以上とすることを特徴とする、請求項1乃至３の何れかに記載のボルトの締結構造。
【発明の詳細な説明】
【技術分野】
【０００１】
本発明は、単数或いは複数の被締結部材を締結するためのボルトの締結構造に関するものである。
【背景技術】
【０００２】
中空形状を持つ部品の締結構造において、前記中空形状の内部の液圧経路を分割したい場合がある。例えば、カムシャフトと歯車とをボルトによって締結する際には、カムシャフトの口元は、オイルの流通を確保するための導通部を形成することが求められ、前記締結構造に用いられるボルトの軸端部付近は、オイルの流通を遮断するためのシール部を形成することが求められる。
【０００３】
このような場合、従来の対策としては、図５（ａ）に示すように前記導通部におけるカムシャフト９３の内径の一部をボルト９１の外径以上の内径とすること、又は、締結完了後に当該流通路９５を形成するボルト９１の一部分の内径を小さくしておくこと、即ちボルト９１の外径とカムシャフト９３内部の内径との差を意図的に設けることによって、前記導通路における流通経路を確保しておくことが一般的に知られている。
【０００４】
なお、前記締結構造におけるシール部分は、ボルト９１の外径と、カムシャフト９３の内径がちょうど螺合するように形成しておくことが一般的である。しかし、螺合が完了しても、ボルト９１とカムシャフト９３との間には微少な間隙が生じるため、図５（ｂ）に示すように、螺合前に予めシール材９６をカムシャフト内部に塗布しておき、当該間隙をシール材によって埋めることにより、シール性を確保していた。
【特許文献１】特開２００６−１６６４８号公報
【発明の開示】
【発明が解決しようとする課題】
【０００５】
しかしながら、前記シール材を用いることによるシール性の確保は、以下のような問題があった。
（１）シール材剥離による、導通部への異物混入の問題
シール材を被締結部材に塗布した後にボルトを螺合すると、シール性は確保されるものの、前記被締結部材の口元でシール材が削られ、剥離した余剰のシール材が前記カムシャフトの導通部に設けた間隙に流れ込み、流体中の異物として分散するおそれがあった。
（２）シール材塗布による、コスト悪化の問題
シール材を塗布するための作業工程の増加や、締結完了後の異物混入の有無のチェックなどによって作業効率が悪化し、部品コストの低減に限界を引き起こしていた。
【０００６】
従って、本発明の目的は、ボルトと被締結部材の締結構造において、シール材を用いることなく、締結作業を行うのみで液圧経路を容易に分割することができる、ボルトの締結構造の提供を目的とする。
【課題を解決するための手段】
【０００７】
そこで、上記目的を達成するためになされた本願の第１発明は、雌螺孔が穿設してある被締結部材と、前記雌螺孔に螺合可能なボルトと、からなるボルトの締結構造において、前記ボルトは、一端に頭部、他端に圧入部、前記頭部と圧入部との間に雄ねじ部を有し、前記雌螺孔は、ボルトの締結完了時において、前記雄ねじ部に螺合されるとともにねじ山の頂部が欠損してある雌ねじ部と、前記圧入部に螺合される被圧入部とを有し、前記圧入部のねじ底径は、前記被圧入部のねじ山径より略大きく形成してあり、ボルトの締結完了時において前記圧入部のねじ底径又は被圧入部のねじ山径のうち何れか一方或いは両方を塑性変形して、互いを密着させたシール部を形成してあるとともに、前記雌ねじ部のねじ山と前記雄ねじ部のねじ底との間に生じる間隙を用いて、導通部を形成してあることを特徴とする、ボルトの締結構造を提供するものである。
また、本願の第２発明は、前記被締結部材に、前記導通部に連通可能な流路を形成してあることを特徴とする、本願の第１発明に記載のボルトの締結構造を提供するものである。
また、本願の第３発明は、前記シール部と導通部の配置位置を、前記ボルトの軸方向に入れ替えたことを特徴とする、本願の第１発明又は第２発明に記載のボルトの締結構造を提供するものである。
また、本願の第４発明は、前記圧入部のねじ底径を当該圧入部のねじピッチの０．４倍以上とすることを特徴とする、本願の第１発明乃至第３発明の何れかに記載のボルトの締結構造を提供するものである。
【発明の効果】
【０００８】
本発明のボルトの締結構造によれば、次のような効果のうち、少なくとも一つを得ることができる。
【０００９】
（１）シール材の塗布工程が不要である。
被締結部材の非圧入部のねじ山が、前記圧入部のねじ底によって押圧されることにより、前記被圧入部或いは圧入部の一部或いは双方が塑性変形することにより、シール材を予め塗布することなく、被圧入部と圧入部を密着させることができる。
したがって、ボルトを締結するのみで容易に被締結部材の雌螺孔内の液圧経路を分割することができる。
また、前記シール材の塗布を不要とできるため、生産能率が向上し部品コストを１割程度削減することができる。
（２）締結構造の特性が向上する。
前記シール剤の塗布が不要となったことで、ボルト締結時のシール剤の剥離そのものが無くなったため、液圧経路に異物が混入することが低減し、動作不良を引き起こす問題が無くなった。
【発明を実施するための最良の形態】
【００１０】
以下、図面を参照しながら本発明の実施の形態について説明する。
【実施例１】
【００１１】
＜１＞全体構成
本発明に係るボルトの締結構造は、図に示すように、ボルト１と、被締結部材２、３と、からなり、締結完了時にシール部Ａ、導通部Ｂを形成してなる。
なお、図１にあっては、カムシャフトと歯車とをボルトで締結する例を示しているため、被締結部材が２種存在するが、本発明の締結構造は、被締結部材の点数に限定されるものではなく、一部材であってもよい。
【００１２】
＜２＞ボルト１
ボルト１は、一端には頭部１１、他端に圧入部１３、前記頭部１１と圧入部との間に雄ねじ部１２を有する。
即ち、頭部と隣接する一端に雄ねじ部１２、前記雄ねじ部１２に隣接する位置に圧入部１３とを有している。
雄ねじ部１２と圧入部１３のねじ山径Ｒ1は、同径あるいは略同径に形成するとともに、圧入部１３のねじ底径Ｒ2は、後に説明する被締結部材２の被圧入部２１２のねじ山径Ｒ3よりやや大きく形成されている。
【００１３】
＜３＞被締結部材２
被締結部材２は、ボルト１の挿入孔である雌螺孔２１と、前記雌螺孔２１に連通するオイルの注入孔である流路２２を有する。
雌螺孔２１は、ボルト１との締結完了時における、前記雄ねじ部１２と螺合する位置に雌ねじ部２１１、前記圧入部１３と螺合する位置に、被圧入部２１２とを有する。
流路２２は、雌ねじ部２１１の内周面に開口が設けられるように設ける。
被圧入部２１２及び雌ねじ部２１１のねじ底径Ｒ4は、同径あるいは略同径に形成するとともに、雌ねじ部２１１のねじ山は頂部をカットすることにより、前記ボルトの圧入部１３のねじ底が螺合時に緩衝しないように形成される。
【００１４】
＜３＞シール部Ａにおけるねじ径の関係
シール部Aは、締結完了時における、前記圧入部１３と前記被圧入部２１１との螺合構造によって形成される。図２（ａ）に、図１におけるシール部Ａの部分拡大図を示す。
圧入部１３のねじ山径Ｒ1は、被圧入部２１２のねじ底径と同径あるいは略同径とすることにより、一般的な螺合構造を呈している。
一方、圧入部１３のねじ底径Ｒ2は、被圧入部２１２のねじ山径Ｒ3より、若干大きく形成されているため、ボルト１の螺合時には前記圧入部１３のねじ底により被圧入部２１２の内周面のねじ山を圧入し、前記圧入部１３のねじ底又は被圧入部２１２のねじ山の何れか一方或いは両方を強制的に塑性変形させる。
したがって、前記塑性変形によって圧入部１３と被圧入部２１２とが密着されて間隙を埋め、良好なシール性を得ることができる。
【００１５】
圧入部１３のねじ底係数ＲとねじピッチＰとの関係は、Ｒ＝０．４Ｐ以上であることがより望ましい。下記の表１に示すように、当該係数以上のねじ底径を有することであらゆる呼び径、ピッチを持つボルトであっても、被圧入部２１２と確実に干渉して塑性変形を生ずることができる。
【００１６】
【表１】
2008032051.tif 000003
【００１７】
なお、本実施例においては、圧入部１３が複数ピッチにわたって連続的に設けられているが、他にも導通部Ｂとの境界上に単数ピッチのみ設けたり、当該単数ピッチの圧入部１３を断続的に設けてもよい。すなわち、所望のシール性が得られることを前提として種々の実施例が考えられる。
【００１８】
＜４＞導通部Ｂにおけるねじ径の関係
導通部Ｂは、締結完了時における、前記雄ねじ部１２と前記雌ねじ部２１１との螺合構造によって形成される。図３に、図１における導通部Ｂの拡大図を示す。
雄ねじ部１２のねじ山の外径Ｒ1と、雌ねじ部２１１のねじ底径は同径か略同径であるため、一般的な螺合構造を呈している。
なお、前記説明したように、雌ねじ部２１１のねじ山の頂部がカットしてあるため、ボルトの螺合時に前記圧入部１３のねじ底が干渉しないようになっている。すなわち、雌ねじ部２１１の欠損部２１１１の径Ｒ5が圧入部のねじ底の径Ｒ2より大きくなるように形成されている。
欠損部２１１１の形成は、螺合前に予めカットしておいても良いし、ボルトの圧入部１３をセルフタップ化したものによって行っても良い。
なお、カットされた頂部の部分は、締結完了時には、雄ねじ部のねじ底との間の間隙４となるため、流路からオイルが注入された際の導通路となる。
【実施例２】
【００１９】
なお、図３に示すように、本発明に係るシール部Ａと導通部Ｂをボルトの軸方向に対して、入れ替えることもできる。
すなわち、ボルトは、一端を頭部１１、他端を雄ねじ部１２、前記頭部１１と雄ねじ部１２との間を圧入部１３と形成するとともに、被締結部材の雌螺孔も、ボルト１を挿入する口元から奥に向かって被圧入部２１２、雌ねじ部１２を有することとなる。
この場合、前記ボルト１の圧入部１３は、締結途中において前記欠損部２１１を経由することなく締結されるため、欠損部２１１を形成する際に、前記圧入部のねじ底の径Ｒ2を考慮する必要は無いことは明らかである。
【実施例３】
【００２０】
また、図４に示すように、導通部Ｂを挟みこむようにシール部Ａ１、Ａ２を配置してもよい。
この場合、前記シール部Ａ１側からボルト１を挿入する際に、締結完了時においてシール部Ａ２を形成する圧入部１３Ａが前記シール部Ａ１の通過時に干渉しないように、被圧入部２１２Ａ、２１２Ｂのねじ山の径を調整しておくことは言うまでもない。
【００２１】
加えて、本発明のボルトの締結構造は、カムシャフトと歯車との締結構造を実施例として示したが、本発明は先に述べた実施例に制限されることなく、一般的なボルト先端部にシール性機能を必要とする部位への締結にも応用が可能である。
【図面の簡単な説明】
【００２２】
【図１】本発明の実施例１の説明図。
【図２】本発明の実施例１の部分拡大図。
【図３】本発明の実施例２の部分概略図。
【図４】本発明の実施例３の部分概略図。
【図５】従来技術の説明図。
【符号の説明】
【００２３】
１  ボルト
１１  頭部
１２  雄ねじ部
１３、１３Ａ、１３Ｂ  圧入部
２、３  被締結部材
２１  雌螺孔
２１１、２１１Ａ、２１１Ｂ  雌ねじ部
２１２  被圧入部
４  間隙
Ａ、Ａ１、Ａ２  シール部
Ｂ  導通部
Ｒ1  雄ねじ部・圧入部のねじ山径
Ｒ2  圧入部のねじ底径
Ｒ3  被圧入部のねじ山径
Ｒ4  雄ねじ部のねじ底径
Ｒ5  雌ねじ部の欠損部の径
９１  ボルト
９２  歯車
９３  カムシャフト
９４  流路
９５  導通路
９６  シール材
【図１】
2008032051.tif 000004
【図２】
2008032051.tif 000005
【図３】
2008032051.tif 000006
【図４】
2008032051.tif 000007
【図５】
2008032051.tif 000008